(57)【要約】      （修正有）【課題】傾斜地など足元の悪い場所でも作業者の歩行を妨げることなく使用できる、肩掛け式草刈機補助具及び振動吸収手袋を提供する。【解決手段】本考案の魔法の杖、草刈機補助具は、草刈機を支える杖１００と、杖１００の下端を足首周辺に着脱可能に連結する足固定具２００と、杖と草刈機を体側部に保持する腰ベルト３００と、腰ベルトに遊着され、一端に草刈機を吊り下げ、他端に杖１００の上部を連結する吊り金具４００からなる草刈機補助具であって、杖１００は、屈曲部を有し、当該屈曲部は、複数のパイプとボールからなり、外パイプの内側に中間パイプを固着し、当該中間パイプの内側に内パイプをその一部が出入り可能に設け、隣接する内パイプの間にボールを配置した構造を有する。【選択図】図１
0003202784.tif 000002
【実用新案登録請求の範囲】
【請求項１】
草刈機を支える杖１００と、杖１００の下端を足首周辺に着脱可能に連結する足固定具２００と、杖と草刈機を体側部に保持する腰ベルト３００と、腰ベルトに遊着され、一端に草刈機を吊り下げ、他端に杖１００の上部を連結する吊り金具４００からなる草刈機補助具であって、
杖１００は、屈曲部１１０を有し、当該屈曲部１１０は、複数のパイプとボールからなり、外パイプ１２０の内側に中間パイプ１２１を固着し、当該中間パイプの内側に内パイプ１２２をその一部が出入り可能に設け、隣接する内パイプ１２２の間にボール１３０を配置した構造を有する草刈機補助具。
【請求項２】
足固定具２００は、履物２０の上から装着して用いられ、足底受部２１０、足首固定部２２０、及び杖受部２３０から構成され、
前記足底受部２１０は、履物２０の上から装着され、足首の両側面２１０ａと足裏面２１０ｂの一部を覆い、
前記足首固定部２２０は、足首の周囲を覆うゴム板２２１と、ゴム板２２１を足首の周囲に固定するヒモ２２２を含み、
前記杖受部２３０は、金属棒２３１の中央部が杖受固定金具２３２を介して金属板２１０の外側表面に固定され、金属棒２３１の上方と下方にそれぞれ金属スプリング２３３ａ、ｂが金属棒２３１の外周を覆うように配置され、金属棒２３１の上端部に連結した杖を介して係る草刈機の荷重を支持板２３４が支える構造を有する、請求項１記載の草刈機補助具。
【請求項３】
腰ベルト３００が、さらに、杖保持部３２０を腰固定部３１０の体側部位に固定する補助固定具３３０を備える、請求項１記載の草刈機補助具。
【請求項４】
振動器具による振動が手のひらへ伝達しにくくする振動吸収手袋５００であって、２重に重ねた手袋５１０ａ、５１０ｂの層間の手のひら側にゴム管５２０を挟み込んだ構造を有する振動吸収手袋。
【考案の詳細な説明】
【技術分野】
【０００１】
本考案は、草刈機に取り付けて使用する補助具に関する。
【背景技術】
【０００２】
従来の肩掛け式草刈機は、草刈機本体の全重量を支える作業者の肩への負担が極めて大きく、疲労しやすいため長時間作業を続けることが極めて困難であった。
【０００３】
特許文献１には、棒状の杖の下部を足ベルトにより使用者の足首に装着し、杖の上部に設けた金具に肩ベルトと吊り金具を設け、吊り金具に肩掛け式草刈機を吊る支持具が開示され、この支持具により、使用者への草刈機の荷重を軽減することが記載されている。しかし、足場に問題が生じた場合、例えば斜面や凹凸のある地面では、杖が草刈機を吊ることができず、肩ベルトを介して草刈機の全荷重が使用者の肩に係ってしまう。また、装着時に歩行を可能とするように採用された、柔軟に変形する足ベルトは、変形した足ベルトに固定された杖を不安定にし、草刈機を制御しにくくするため、草刈り時の作業性、安全性を損なうという問題があった。
【０００４】
特許文献２には、肩掛けバンドに代えて腰バンドを設け、足首バンドを介して杖を足に固着した固定具が開示されている。しかし、この固定具は、杖が足首付近以外に屈曲可能な部位を持たず、杖の上下方向の動きを緩和する構造を有さないため、凹凸のある地面や傾斜地を歩行する際に膝を曲げ伸ばす動作が妨げられてしまうという問題があった。
【先行技術文献】
【特許文献】
【０００５】
【特許文献１】登録実用新案第３１２５６４５号公報
【特許文献２】特開平８−２４２６５０号公報
【考案の概要】
【考案が解決しようとする課題】
【０００６】
本考案の課題は、草刈機本来の機能や安全性を損うことなく、草刈機の振動や機重の負担から使用者を解放し、特に凹凸のある地面や傾斜地における作業性に優れた、草刈機補助具を提供することにある。
【課題を解決するための手段】
【０００７】
本考案者らは、上記課題を解決するため検討を重ねた結果、杖の一部に、作業者の膝の屈曲に合わせて湾曲する構造を配することにより、傾斜地においても歩行を妨げず、安定して機重の負担を軽減しうることを見出し、本考案を完成した。
【０００８】
すなわち、本考案は、草刈機を支える杖１００と、杖１００の下端を足首周辺に着脱可能に連結する足固定具２００と、杖と草刈機を体側部に保持する腰ベルト３００と、腰ベルトに遊着され、一端に草刈機を吊り下げ、他端に杖１００の上部を連結する吊り金具４００からなる草刈機補助具であって、杖１００は、屈曲部１１０を有し、当該屈曲部１１０は、複数のパイプとボールからなり、外パイプ１２０の内側に中間パイプ１２１を固着し、当該中間パイプの内側に内パイプ１２２をその一部が出入り可能に設け、隣接する内パイプ１２２の間にボール１３０を配置した構造を有する草刈機補助具に関する。
【０００９】
本考案の草刈機補助具における足固定具２００は、例えば、履物２０の上から装着して用いられ、足底受部２１０、足首固定部２２０、及び杖受部２３０から構成され、前記足底受部２１０は、履物２０の上から装着され、足首の両側面２１０ａと足裏面２１０ｂの一部を覆い、前記足首固定部２２０は、足首の周囲を覆うゴム板２２１と、ゴム板２２１を足首の周囲に固定するヒモ２２２を含み、前記杖受部２３０は、金属棒２３１の中央部が杖受固定金具２３２を介して金属板２１０の外側表面に固定され、金属棒２３１の上方と下方にそれぞれ金属スプリング２３３ａ、ｂが金属棒２３１の外周を覆うように配置され、金属棒２３１の上端部に連結した杖を介して係る草刈機の荷重を支持板２３４が支える構造を有することができる。
【００１０】
本考案の草刈機補助具における腰ベルト３００は、さらに、杖保持部３２０を腰固定部３１０の体側部位に固定する補助固定具３３０を備えることができる。
【００１１】
本考案は、また、振動器具による振動が手のひらへ伝達しにくくする振動吸収手袋５００であって、２重に重ねた手袋５１０ａ、５１０ｂの層間の手のひら側にゴム管５２０を挟み込んだ構造を有する振動吸収手袋を提供する。
【考案の効果】
【００１２】
本考案の草刈機補助具によれば、使用者を草刈機の振動や機重から解放して、草刈機本来の機能や安全性を十分に発揮し、足場の悪い場所であっても歩行を妨げることなく、効率よく作業を進めることができる。
【図面の簡単な説明】
【００１３】
【図１】本考案の草刈機補助具の一態様を示す斜視図である。
【図２】本考案の草刈機補助具の使用時の装着状態の一態様を示す斜視図である。
【図３】本考案の草刈機補助具の杖の一態様であって、（Ａ）杖が最も短い状態、及び（Ｂ）杖が最も伸長した状態、を示す斜視図である。
【図４】図３の草刈機補助具の断面図であって、それぞれ（Ａ） 図３（Ａ）に対応する断面図、及び（Ｂ）図３（Ｂ）に対応する断面図、である。
【図５】本考案の草刈機補助具の杖の他の態様であって、（Ａ）杖が最も短い状態、及び（Ｂ）杖が伸長した状態、を示す斜視図である。
【図６】図５の草刈機補助具の断面図であって、それぞれ（Ａ） 図５（Ａ）に対応する断面図、及び（Ｂ）図５（Ｂ）に対応する断面図、である。
【図７】本考案の草刈機補助具の足固定具の一態様であって、（Ａ）装着前の状態、（Ｂ）装着時の状態、（Ｃ）（Ａ）を横から見た状態、を示す斜視図であり、（Ｄ）は足固定具の他の態様の斜視図である。
【図８】本考案の草刈機補助具の腰ベルトの（Ａ）一態様、及び（Ｂ）他の態様、をそれぞれ示す斜視図である。
【図９】本考案の振動吸収手袋の一態様を示す（Ａ）断面図、及び（Ｂ）（Ａ）の部分拡大図ある。
【考案を実施するための形態】
【００１４】
以下、本考案における好ましい実施態様について、図面を参照しながら説明する。図１に示す草刈機補助具は、草刈機１０を支える杖１００と、杖１００の下端を足首周辺に着脱可能に連結する足固定具２００と、杖と草刈機を体側部に保持する腰ベルト３００と、腰ベルトに遊着され、一端に草刈機を吊り下げ、他端を杖１００の上部に挿入して連結する吊り金具４００からなる。従来、ベルトを肩にかけて吊り下げて用いられていた草刈機では直接肩に伝わっていた草刈機の重さや振動等を、本考案の草刈機補助具１では、魔法の杖１００を介して地面に流す。これは、電気のアースと同じ要領である。
【００１５】
一方、草刈機の振動は、グリップ１１を通じて作業者の手のひらにも伝達する。ここで、図９に示す振動吸収手袋を装着することにより、振動の伝達を軽減し、作業者の身体への負荷を抑えることができる。振動吸収手袋５００は、例えば図９（Ａ）（Ｂ）に示すように、２重に重ねた手袋５１０ａ、ｂの層間の手のひら側にゴム管５２０を挟み込んだ構造を有する。このような構造により、草刈機の振動をゴム管５２０が吸収し、指５３０や手のひらへ伝達する振動を著しく減弱する。
【００１６】
本考案における杖１００は、複数のパイプとボールからなる屈曲部１１０を有する。屈曲部１１０は、外パイプ１２０の内側に中間パイプ１２１を固着し、当該中間パイプの内側に内パイプ１２２をその一部が出入り可能に設け、隣接する内パイプ１２２の間にボール１３０を配置した構造を有する。
【００１７】
図３〜図６の（Ａ）は、杖１００の上端にかかる草刈機の荷重により、内パイプ１２２が下方へ移動して杖の全長が最も短くなる状態を示している。この状態において、杖の横方向に力が係った際、ボール１３０がベアリング機能を発揮して、ボール１３０を支点として内パイプ１２２を傾斜させることにより杖を屈曲させることができる。屈曲部１１０は、作業者の膝の高さ近傍に配置されることにより、例えば平坦地でない起伏のある地面や傾斜地の歩行時など、膝を深く曲げ伸ばしする状況においても、杖１００がつっかえることなく、膝の屈曲に追随して杖が曲がり、動作を妨げることなく効率よく作業することができる。杖は、上端部１１１の内腔に連結した吊り金具４００に吊り下げて連結することができる。また、杖１００の長さを作業者の腰の位置に応じて調節できる調整部２５０を、杖の上端部１１１に連結し、調整部２５０の内腔に吊り金具４００の一端をひっかけることにより、杖を連結してもよい。調整部１２５により、杖１００の長さを作業者の腰の位置に応じて適宜調節し、作業性を向上することができる。また、杖は、下端部１１２の内腔に金属棒２３１の上端を挿入することにより、杖受部２３０へ着脱可能に連結することができる。
【００１８】
図３〜図６の（Ｂ）は、杖１００の上端が上方に引き上げられ、パイプ１２２が上方へ動き、杖の全長が最も長くなる状態を示している。こうすることで、ボール１３０がベアリング機能を発揮できず、杖の屈曲が妨げられる。そのため、草刈作業を中断して平地を歩行する際にも杖を安定に保持でき、歩行を妨げることがない。
【００１９】
図３、４に示す杖１００と、図５、６に示す杖とは、屈曲可能な角度が異なっている。図３、４の杖は、屈曲部１１０の中央に長い内パイプが配置されており、横から力を受けた内パイプがより大きな角度で傾斜するため、屈曲角度が大きくなり、可動範囲が広い。図５、６の杖は、屈曲部１１０中央の内パイプがより短いため、横から力を受けた際の内パイプの傾斜角度が小さくなる結果、屈曲角度が小さく、杖の可動範囲が狭い。屈曲角度が大きい杖は、起伏のある地面、足元の悪い地面、傾斜地における作業により適しており、屈曲角度が小さい杖は、平坦地における作業により好ましく用いられる。
【００２０】
足固定具２００は、図１に示すように、履物２０の上から装着して用いられ、図７に示す足固定具２００は、足底受部２１０、足首固定部２２０、及び杖受部２３０から構成される。図７（Ａ）は装着前を示し、（Ｂ）は装着中の状態であって、装着により高さX分沈み込む様子を示している。図７（Ｃ）は（Ａ）を横から見た図である。
【００２１】
足固定具２００を構成する足底受部２１０は、履物２０の上から装着され、足首の両側面２１０ａと足裏面２１０ｂの一部を覆う構造を有する。足底受部２１０は、例えば、図７に示すコの字型の金属板や、U字型のゴム板等で構成できる。ゴム板で構成された足底受部２１０は、融通が利きやすいため好ましく用いられる。足首固定部２２０は、足首の周囲を覆うゴム板２２１と、ゴム板２２１を足首の周囲に固定するヒモ２２２を含んでいる。足首の周囲を覆うゴム板２２１には、足への当たりを和らげるための加工が施されていてもよい。具体的には、例えば、図７（Ｄ）に示すように、ゴム板２２１のふくらはぎ側（かかとの上側）の曲部（U字の中央）に複数の穴２２４を設ける、当該曲部付近のゴム板の幅（足首周囲に直交する方向）を狭くするなどのほか、図７（Ａ）〜（Ｃ）に示すように、両側面に緩衝用ゴム板２２３を挟み込むなど別の部材を組み合わる加工法を用いることもできる。
【００２２】
前記杖受部２３０は、金属棒２３１の中央部が杖受固定金具２３２を介して金属板２１０の外側表面に固定され、金属棒２３１の上方と下方にそれぞれ金属スプリング２３３Ａ、ｂが金属棒２３１の外周を覆うように配置され、金属棒２３１の上端部に連結した杖を介して係る草刈機の荷重を支持板２３４が支える構造を有する。金属スプリング２３３Ａ、ｂは、弾性機能を発揮し、杖の上下方向の動きを吸収することができる。そのため、地面の凹凸により上下に動く杖の動きを柔軟に受け止める、杖１００が杖受部２３０から外れることがなく、安定して作業を行うことができる。支持板２３４は、足固定具２００と杖受部２３０の間の隙間と同程度のサイズのゴムリングで構成することにより、当該隙間へ、刈り込んだ草が食い込むのを防ぐことができる。
【００２３】
図８（Ａ）に示す腰ベルト３００は、腰を周回する腰固定部３１０と、杖を上下移動可能に体側へ固定する杖保持部３２０を備え、杖保持部３２０に鎖を介して吊り金具４００を遊着している。杖保持部３２０は、杖を挿入可能な中空構造を有していればよく、例えば、布、プラスチック、金属などの素材を用いた、筒やリングで構成することができる。このような構造により、装着時には杖を体側部に速やかに固定でき、使用中も安定して保持し、使用後は容易に杖を取り外すことができる。腰ベルト３００は、さらに、図８（Ｂ）に示すように、杖保持部３２０を腰固定部３１０の体側部位に固定する補助固定具３３０を備えることもできる。補助固定具３３０は、杖保持部３２０と一体となって、腰固定部に固定できる構成であってもよい。腰ベルト３００は、ベルト穴とベルト通しなどを備えることにより、使用者の胴囲に合わせてサイズ調整して利用することができる。
【００２４】
吊り金具４００は、腰ベルトに遊着され、一端に草刈機を吊り下げ、他端に杖１００の上部を連結する構造を有している。このような吊り金具としては、例えば図８（Ａ）（Ｂ）に示すようなS字フックを利用でき、特に、両端のS字が９０度ねじれた形状のものは、作業者の側面から草刈機を離隔して保持できるため作業性を著しく向上することができる。S字フックによれば、草刈機との連結、脱着をスムーズに行うことができる。
【産業上の利用可能性】
【００２５】
肩掛け式草刈り機に装着することで、肩への荷重をなくし、作業性を向上することができる。
【符号の説明】
【００２６】
１０    草刈機
１１  グリップ
２０  履物
１００    杖
１１０    屈曲部
１１１    上端部
１１２    下端部
１２０    外パイプ
１２１    中間パイプ
１２２    内パイプ
１２５    調節部
１３０    ボール
２００  足固定部
２１０    足底受部
２２０  足首固定部
２２１  ゴム板
２２２  ヒモ
２２３  緩衝用ゴム板
２２４  穴
２３０    杖受部
２３１  金属棒
２３２  杖受固定金具
２３３ａ、ｂ  金属スプリング
３００    腰ベルト
３１０    腰固定部
３２０    杖保持部
３３０    補助固定具
４００    吊り金具
５００    振動吸収手袋
５１０ａ、ｂ    手袋
５２０    ゴム管
５３０    指
【図１】
0003202784.tif 000003
【図２】
0003202784.tif 000004
【図３】
0003202784.tif 000005
【図４】
0003202784.tif 000006
【図５】
0003202784.tif 000007
【図６】
0003202784.tif 000008
【図７】
0003202784.tif 000009
【図８】
0003202784.tif 000010
【図９】
0003202784.tif 000011
【手続補正書】
【提出日】平成27年12月20日(2015.12.20)
【手続補正１】
【補正対象書類名】実用新案登録請求の範囲
【補正対象項目名】請求項４
【補正方法】変更
【補正の内容】
【請求項４】
さらに、振動器具による振動が手のひらへ伝達しにくくする振動吸収手袋５００であって、２重に重ねた手袋５１０ａ、５１０ｂの層間の手のひら側にゴム管５２０を挟み込んだ構造を有する振動吸収手袋からなる、請求項１記載の草刈機補助具。